(57)【要約】【課題】閉塞部材から引き出すケーブルの本数の限界を分岐可能な本数などで制限することなく、また、回線停止などを行うことなく、引出ケーブルを増設できるようにすることにより、引出ケーブルの敷設先以外に迷惑を掛けることなく、その引出ケーブルの増設作業を同一の閉塞部材を用いて容易にできるようにするケーブル用ケースを提供すること。【解決手段】ドロップクロージャー１０のスリーブ１１の両端部１１ａを閉塞する閉塞部材１２に、上端面に開口して内方に延在する上方挿通スリット３１、および、下端面に開口して内方に延在する下方挿通スリット３２のそれぞれを複数本並列させるとともに、これら挿通スリット３１、３２は、ドロップケーブルｆの直径と略同一幅で開口することにより挿通状態にして外部に引出可能にし、充填材３５を詰めることにより液密性を確保する。【選択図】図２
2008176106.tif 000002
【特許請求の範囲】
【請求項１】
架設するケーブルの接続箇所や分岐箇所に設置されるケースであって、
ケーブルを外部に引き出すための開口部と、該開口部を閉塞する閉塞部材と、を備えており、
閉塞部材には、引出ケーブルを挿通状態にして引き出す経路空間が、該引出ケーブルの１本を挿通させるのに必要な開口面積よりも数倍以上に開口可能に形成されていることを特徴とするケーブル用ケース。
【請求項２】
前記閉塞部材には、引出ケーブルの経路空間として、複数の引出ケーブルの挿通可能なスリットが１つまたは２本以上形成されていることを特徴とする請求項１に記載のケーブル用ケース。
【請求項３】
前記スリットは、閉塞部材の外周端辺から内方に延在して、引出ケーブルを閉塞部材の外周端辺から進入可能に形成されていることを特徴とする請求項２に記載のケーブル用ケース。
【請求項４】
前記閉塞部材は、スリットが引出ケーブルの略線径幅で開口しており、
該スリットには、引出ケーブルに隣接して隙間埋め材料が進入されていることを特徴とする請求項２または３に記載のケーブル用ケース。
【請求項５】
前記閉塞部材は、弾性変形材料により作製されており、
前記スリットとして、当該スリットを形成する対面同士が密接していることを特徴とする請求項２または３に記載のケーブル用ケース。
【請求項６】
前記スリットの底部は、外部側に向かって傾斜するように形成されていることを特徴とする請求項２から５のいずれかに記載のケーブル用ケース。
【請求項７】
前記閉塞部材は、引出ケーブルの経路空間として、複数の引出ケーブルが挿通可能に開口するサブ開口部を有しており、
該サブ開口部には、引出ケーブルの挿通可能な空間を絞る方向に閉塞する布状部材が設けられていることを特徴とする請求項１に記載のケーブル用ケース。
【請求項８】
前記布状部材には、サブ開口部に面する箇所から引出ケーブルを挿通させる絞り空間まで連続する引出ケーブルの進入経路が形成されており、
前記閉塞部材には、外周端辺からサブ開口部まで連続する引出ケーブルの進入経路が形成されていることを特徴とする請求項７に記載のケーブル用ケース。
【請求項９】
前記閉塞部材は、引出ケーブルの経路空間として、複数の引出ケーブルが挿通可能に開口するサブ開口部を有しており、
該サブ開口部には、当該サブ開口部に面する箇所から内方に向かって周回することにより、該内方に引出ケーブルを挿通可能な空間を画成する弾性変形可能な線状材料よりなる周回部材が設けられていることを特徴とする請求項１に記載のケーブル用ケース。
【請求項１０】
前記閉塞部材には、外周端辺からサブ開口部まで連続する引出ケーブルの進入経路が形成されていることを特徴とする請求項９に記載のケーブル用ケース。
【請求項１１】
前記周回部材は、帯状の線状材料により構成されて外周側領域が内側に位置するように周回することによって内方空間側ほど突出する円錐台形状に形成されており、
該帯状線状材料は、外周側の外周側領域の外面が内周側の内周側領域の内面に面接触するように形成されていることを特徴とする請求項９または１０に記載のケーブル用ケース。
【請求項１２】
前記閉塞部材の内側には、対面する遮蔽部材が配設されているとともに、該遮蔽部材との間の下面に雨水の抜き穴が開口しており、
遮蔽部材には、引出ケーブルを挿通させる開口部が形成されていることを特徴とする請求項１から１１のいずれかに記載のケーブル用ケース。
【発明の詳細な説明】
【技術分野】
【０００１】
本発明は、ケーブル用ケースに関し、詳しくは、引き出すケーブル本数の制限をなくすことのできるものに関する。
【背景技術】
【０００２】
従来、屋外に架設するケーブルの接続箇所や分岐箇所には、そのケーブルの接続部や部品などが雨水などにより侵食されてしまわないように、ケース内に内装することが行われている。
【０００３】
この種のケーブル用ケースとしては、例えば、近年に増加している光ファイバーケーブルの分岐箇所にドロップクロージャー（ケーブル用ケース）が設けられており、その内部から光ファイバーケーブルを分岐したドロップケーブルを引き出して敷設することにより、各家庭などに光ファイバーを提供することが行われている。その光ファイバーの提供先が増える場合には、適宜、ドロップケーブルを増設して家庭などの提供先まで敷設することが行われる（例えば、特許文献１参照）。
【特許文献１】特開２００４−１６３７１８号公報
【特許文献２】特開平１０−１０３９０号公報
【発明の開示】
【発明が解決しようとする課題】
【０００４】
このような従来のケーブル用ケースでは、ケーブルを外部に引き出すための開口部を閉塞する閉塞部材に、予め規定本数分の引出ケーブルを挿通して引出可能に貫通孔が準備されている。例えば、図１２に示すように、ドロップクロージャー１００の場合には、スリーブ１０１の両端部を閉塞する閉塞部材１０２にドロップケーブルを挿通可能な複数個の貫通孔１１１が準備されている。
【０００５】
しかしながら、このような閉塞部材１００にあっては、引き出す必要のあるドロップケーブルの本数が予想よりも増加した場合には、その貫通孔１１１の開口数の多い種別に交換する必要があり、この場合には、該当経路の光ファイバー回線を停止しなければならない、という問題があった。
【０００６】
さらに、このような閉塞部材１００の構造では、既存の閉塞部材１００に準備されている貫通孔１１１の開口数が足りなくなる度に、この交換作業を行わなければならず、その都度、該当経路の光ファイバー回線を停止しなければならない、という問題があった。
【０００７】
そこで、本発明は、閉塞部材から引き出すケーブルの本数の限界を分岐可能な本数などで制限することなく、また、回線停止などを行うことなく、引出ケーブルを増設できるようにすることにより、引出ケーブルの敷設先以外に迷惑を掛けることなく、その引出ケーブルの増設作業を同一の閉塞部材を用いて容易にできるようにするケーブル用ケースを提供することを目的とする。
【課題を解決するための手段】
【０００８】
上記課題を解決するケーブル用ケースの第１の発明は、架設するケーブルの接続箇所や分岐箇所に設置されるケースであって、ケーブルを外部に引き出すための開口部と、該開口部を閉塞する閉塞部材と、を備えており、閉塞部材には、引出ケーブルを挿通状態にして引き出す経路空間が、該引出ケーブルの１本を挿通させるのに必要な開口面積よりも数倍以上に開口可能に形成されていることを特徴とするものである。
【０００９】
この発明では、開口部を閉塞する閉塞部材に、引出ケーブルの断面積の数倍以上で開口させることのできる経路空間が準備されており、引出ケーブルを１本ずつ挿通するのではなく、複数本を一遍にケース内から引き出すことができる。したがって、分岐可能な本数以上のケーブルを引き出すことができ、閉塞部材の交換を行うことなく、言い換えると、該当ケーブル系統を停止することなく、引出ケーブルを増設することができる。
【００１０】
上記課題を解決するケーブル用ケースの第２の発明は、上記第１の発明の特定事項に加え、前記閉塞部材には、引出ケーブルの経路空間として、複数の引出ケーブルの挿通可能なスリットが１つまたは２本以上形成されていることを特徴とするものである。
【００１１】
この発明では、閉塞部材のスリットに複数本の引出ケーブルを並列させた状態にしてケース内から引き出すことができる。したがって、分岐可能な本数以上のケーブルをスリットから引き出すことができ、引出ケーブルを適宜増設することができる。
【００１２】
上記課題を解決するケーブル用ケースの第３の発明は、上記第２の発明の特定事項に加え、前記スリットは、閉塞部材の外周端辺から内方に延在して、引出ケーブルを閉塞部材の外周端辺から進入可能に形成されていることを特徴とするものである。
【００１３】
この発明では、閉塞部材のスリットの外周端辺の開口端部から複数本の引出ケーブルを並列させるように差し込んで挿通状態にすることによりケース内から引き出すことができる。したがって、既設のケーブルを含めて、分岐可能な本数以上の引出ケーブルをスリットから引き出すことができ、該当ケーブル系統を停止することなく、既設ケーブルを従来の閉塞部材からカッターなどにより外してスリット内に差し込んで挿通状態にしケース内から引き出すことができる。
【００１４】
上記課題を解決するケーブル用ケースの第４の発明は、上記第２または第３の発明の特定事項に加え、前記閉塞部材は、スリットが引出ケーブルの略線径幅で開口しており、該スリットには、引出ケーブルに隣接して隙間埋め材料が進入されていることを特徴とするものである。
【００１５】
この発明では、引出ケーブルを差し込んで挿通状態にした閉塞部材のスリットの隙間を隙間埋め材料を進入させて閉塞することができる。したがって、スリットの隙間からケース内に雨水などが無制限に浸入して内部の部品などが侵食されてしまうことを防止することができる。
【００１６】
上記課題を解決するケーブル用ケースの第５の発明は、上記第２または第３の発明の特定事項に加え、前記閉塞部材は、弾性変形材料により作製されており、前記スリットとして、当該スリットを形成する対面同士が密接していることを特徴とするものである。
【００１７】
この発明では、引出ケーブルを差し込んで挿通状態にした閉塞部材のスリットを画成する壁面（対面）がその引出ケーブルの周面やその対面間同士で密接して、そのスリットを閉塞することができる。したがって、スリットの壁面間に隙間が形成されてケース内に雨水などが無制限に浸入し内部の部品などが侵食されてしまうことを防止することができる。
【００１８】
上記課題を解決するケーブル用ケースの第６の発明は、上記第２から第５のいずれかの発明の特定事項に加え、前記スリットの底部は、外部側に向かって傾斜するように形成されていることを特徴とするものである。
【００１９】
この発明では、引出ケーブルを挿通状態にすることのできる閉塞部材のスリット内に侵入した雨水などは、そのスリットの傾斜する底部を伝って外部に流出させることができる。したがって、スリットの壁面間に侵入した雨水などが底面を伝ってそのままケース内に流れ込んでしまうことをなくすことができる。
【００２０】
上記課題を解決するケーブル用ケースの第７の発明は、上記第１の発明の特定事項に加え、前記閉塞部材は、引出ケーブルの経路空間として、複数の引出ケーブルが挿通可能に開口するサブ開口部を有しており、該サブ開口部には、引出ケーブルの挿通可能な空間を絞る方向に閉塞する布状部材が設けられていることを特徴とするものである。
【００２１】
この発明では、閉塞部材のサブ開口部内の布状部材により絞られている（開口している）空間内に複数本の引出ケーブルを通してケース内から引き出すことができる。したがって、分岐可能な本数以上のケーブルを布状部材による絞り空間から引き出すことができ、引出ケーブルを適宜増設することができる。
【００２２】
上記課題を解決するケーブル用ケースの第８の発明は、上記第７の発明の特定事項に加え、前記布状部材には、サブ開口部に面する箇所から引出ケーブルを挿通させる絞り空間まで連続する引出ケーブルの進入経路が形成されており、前記閉塞部材には、外周端辺からサブ開口部まで連続する引出ケーブルの進入経路が形成されていることを特徴とするものである。
【００２３】
この発明では、閉塞部材の外周端辺に位置する進入経路の開口端部から複数本の引出ケーブルを差し込んでサブ開口部内に位置させることができ、さらに同様に、そのサブ開口部内の布状部材の進入経路内に差し込んで布状部材による絞り空間内に位置させることにより、引出ケーブルを挿通状態にしてケース内から引き出すことができる。したがって、既設のケーブルを含めて、分岐可能な本数以上の引出ケーブルを布状部材の絞り空間から引き出すことができ、該当ケーブル系統を停止することなく、既設ケーブルを従来の閉塞部材からカッターなどにより外して布状部材の絞り空間を介してケース内から引き出すことができる。
【００２４】
上記課題を解決するケーブル用ケースの第９の発明は、上記第１の発明の特定事項に加え、前記閉塞部材は、引出ケーブルの経路空間として、複数の引出ケーブルが挿通可能に開口するサブ開口部を有しており、該サブ開口部には、当該サブ開口部に面する箇所から内方に向かって周回することにより、該内方に引出ケーブルを挿通可能な空間を画成する弾性変形可能な線状材料よりなる周回部材が設けられていることを特徴とするものである。
【００２５】
この発明では、閉塞部材のサブ開口部に設置されている周回部材の開口空間内に、その周回部材の線状材料を変形させるなどして複数本の引出ケーブルを通してケース内から引き出すことができる。したがって、分岐可能な本数以上のケーブルを周回部材内の開口空間から引き出すことができ、引出ケーブルを適宜増設することができる。
【００２６】
上記課題を解決するケーブル用ケースの第１０の発明は、上記第９の発明の特定事項に加え、前記閉塞部材には、外周端辺からサブ開口部まで連続する引出ケーブルの進入経路が形成されていることを特徴とするものである。
【００２７】
この発明では、閉塞部材の外周端辺に位置する進入経路の開口端部から複数本の引出ケーブルを差し込んでサブ開口部内に位置させることができ、さらに、そのサブ開口部の周回部材の線状材料を弾性変形させつつその線状材料間に差し込んでその周回部材内の開口空間内に進入させて位置させることにより、引出ケーブルを挿通状態にしてケース内から引き出すことができる。したがって、既設のケーブルを含めて、分岐可能な本数以上の引出ケーブルを周回部材内の開口空間から引き出すことができ、該当ケーブル系統を停止することなく、既設ケーブルを従来の閉塞部材からカッターなどにより外して周回部材内の開口空間を介してケース内から引き出すことができる。
【００２８】
上記課題を解決するケーブル用ケースの第１１の発明は、上記第９または第１０の発明の特定事項に加え、前記周回部材は、帯状の線状材料により構成されて外周側領域が内側に位置するように周回することによって内方空間側ほど突出する円錐台形状に形成されており、該帯状線状材料は、外周側の外周側領域の外面が内周側の内周側領域の内面に面接触するように形成されていることを特徴とするものである。
【００２９】
この発明では、周回部材の帯状線状材料が互いに面接触しつつ内側ほど突出することにより、例えば、閉塞部材が側面に設置されている場合には、面接触する帯状線状材料間から雨水などを無制限にケース内に侵入させることなく、外周面を伝わせて外部に滴下させることができる。したがって、周回部材の線状材料間から雨水などがケース内に無制限に浸入して内部の部品などが侵食されてしまうことを防止することができる。
【００３０】
上記課題を解決するケーブル用ケースの第１２の発明は、上記第１から第１１のいずれかの発明の特定事項に加え、前記閉塞部材の内側には、対面する遮蔽部材が配設されているとともに、該遮蔽部材との間の下面に雨水の抜き穴が開口しており、遮蔽部材には、引出ケーブルを挿通させる開口部が形成されていることを特徴とするものである。
【００３１】
この発明では、閉塞部材よりも外部に引き出すケーブルを遮蔽部材の開口部内にも挿通状態にして引き出すことができ、その閉塞部材よりも内側に侵入した雨水などがさらに内部に侵入しようとするのを遮蔽部材により防止するとともに、その雨水などを遮蔽部材との間の抜き穴から流出させることができる。したがって、閉塞部材よりも内側に侵入した雨水などがさらにケース内に浸入して内部の部品などを侵食してしまうことを防止することができる。
【発明の効果】
【００３２】
このように本発明によれば、閉塞部材のスリットやサブ開口部から引出ケーブルの複数本を一遍にケース内から引き出すことができ、分岐可能な本数以上のケーブルをケース内から引き出すことができる。したがって、閉塞部材の交換のためにケーブル系統を停止するなど、既設のケーブルのユーザに迷惑を掛けることなく、その引出ケーブルの増設作業を行うことができる。
【発明を実施するための最良の形態】
【００３３】
以下、本発明の最良の実施形態を図面に基づいて説明する。図１〜図３は本発明に係るケーブル用ケースの第１実施形態を適用したドロップクロージャーの一例を示す図である。
【００３４】
図１において、ドロップクロージャー１０は、例えば、電柱間に架設する光ファイバーケーブルＦ（図２、図３を参照）を内部に収装するとともに、その光ファイバーケーブルＦから分岐させたドロップケーブルｆ（図２、図３を参照）を外部に引き出すことができるように設計されており、そのドロップケーブルｆを敷設することにより各家庭などに光ファイバーを提供するために設置するものである。すなわち、ドロップケーブルｆが引出ケーブルを構成している。
【００３５】
このドロップクロージャー１０は、角型の筒状に形成されたスリーブ１１と、このスリーブ１１の両端部（開口部）１１ａを閉塞する閉塞部材１２と、この閉塞部材１２間に位置して各種部品を設置する基台として機能するベース金具１３と、内部に引き込む光ファイバーケーブルＦを把持して固定する把持金具１４と、電柱間に架設した吊線に引っ掛けて吊り下げ支持させる吊金具１５と、を備えており、スリーブ１１下面の中央部に長さ方向に延在する開閉スリット２１が形成されることにより、内部を開閉可能に設計されているとともに、その開閉スリット２１の側辺を下方に垂下させた対面部２２をボルト２３とナット２４により密接させた状態にして閉止するようになっている。なお、ボルト２３は、対面部２２に形成されている貫通穴２２ａに挿通させることによりナット２４に螺合させることができる。また、スリーブ１１は、対面部２２間にパッキン２５を挟み込むことにより開閉スリット２１を液密に閉塞するようになっており、閉塞部材１２の周囲には不図示のパッキンを介装することにより液密に閉塞している。
【００３６】
ここで、ドロップクロージャー１０は、ベース金具１３上に融着トレイ２７と光カプラトレイ２８が固定されており、把持金具１４が把持固定する光ファイバーケーブルＦの心線（光ファイバー）とドロップケーブルｆの心線とを融着トレイ２７で融着・接続するとともに、光カプラトレイ２８で光ファイバーケーブルＦの心線を不図示の光カプラで分岐することによりドロップケーブルｆを増設することができるように準備されている。
【００３７】
そして、このドロップクロージャー１０の閉塞部材１２は、図２および図３に示すように、上端面に開口して下方に延在する上方挿通スリット３１が複数本（本実施形態では８本）並列しているとともに、下端面に開口して上方に延在する下方挿通スリット３２が複数本（本実施形態では６本）並列しており、この挿通スリット３１、３２は、ドロップケーブルｆの直径と略同一幅で開口している。
【００３８】
これにより、挿通スリット３１、３２は、ドロップケーブルｆの挿通に必要な開口面積の数倍で開口しており、複数本のドロップケーブルｆを隣接する状態で一遍に挿通させることができる。また、この挿通スリット３１、３２は、光ファイバーケーブルＦから分岐可能な本数より多くのドロップケーブルｆを、閉塞部材１２の外周面側の開口から内部に差し込んで挿通させた状態にすることによりドロップクロージャー１０内から外部に引き出すことができ、光カプラトレイ２８により分岐して増設したドロップケーブルｆも同様にドロップクロージャー１０内から外部に引き出すことができる。
【００３９】
このため、ドロップクロージャー１０は、閉塞部材１２を交換することなく、言い換えると、既設のドロップケーブルｆを一旦外すことなく（停止することなく）、必要なドロップケーブルｆを増設するとともに、そのドロップケーブルｆを空いている挿通スリット３１、３２に挿通して外部に引き出すことができる。
【００４０】
また、この閉塞部材１２は、下方挿通スリット３２の真ん中に平行に形成されて、同様に、下端面に開口して上方に延在する幹ケーブル用挿通スリット３３が形成されており、この幹ケーブル用挿通スリット３３は、光ファイバーケーブルＦの直径と略同一幅で開口している。
【００４１】
これにより、幹ケーブル用挿通スリット３３は、既設の光ファイバーケーブルＦでも閉塞部材１２の外周面の開口から内部に差し込んで挿通させた状態にすることにより外部に引き出すことができる。
【００４２】
よって、例えば、図１２に示す既設のドロップクロージャー１００の場合でも、その閉塞部材１０２をカッターなどで切断するなどして貫通孔１１１、１１２から既設のドロップケーブルｆや光ファイバーケーブルＦを外すことにより、閉塞部材１２の挿通スリット３１〜３３に挿通状態にして外部に引き出すことができ、光ファイバーの系統を停止することなく、既設と増設に関係なくドロップケーブルｆを挿通スリット３１、３２から外部に引き出すことができる。なお、ドロップクロージャー１０、１００は、スリーブ１１が共通である場合には、閉塞部材１０２を本実施形態の閉塞部材１２に交換するだけでよい。
【００４３】
さらに、挿通スリット３１〜３３は、開口空間を例えば、パテ（ｐｕｔｔｙ）などの充填材（隙間埋め材料）３５を詰める（進入させる）ことにより雨水などが無制限にドロップクロージャー１０内に侵入してしまわないように液密性を確保している。なお、この挿通スリット３１〜３３は、充填材３５に代えて、内部空間と略同一形状（ドロップケーブルｆと同一幅）のゴム材料からなる密閉部材を詰めることにより液密性を確保してもよいことは言うまでもない。
【００４４】
また、この上方挿通スリット３１は、底面３１ａが外部側に向かって降下する傾斜面に形成されており、充填材３５との間に雨水などが侵入したとしても外部に向かって伝わせて滴下するようにすることにより液密性が高められている。なお、下方挿通スリット３２や幹ケーブル用挿通スリット３３でも、充填材３５との間に雨水などが侵入したとしてもスリーブ１１の下面で外部に向かって伝わせて滴下させることができる。
【００４５】
これにより、このドロップクロージャー１０でも、内部に雨水などが侵入して融着トレイ２７や光カプラトレイ２８などが侵食されてしまうことを防止することができ、従来のドロップクロージャー１００と同等に取り扱うことができる。
【００４６】
このように本実施形態においては、閉塞部材１２の挿通スリット３１、３２にドロップケーブルｆの複数本を一遍に挿通させてドロップクロージャー１０内から引き出すことができるとともに、幹ケーブル用挿通スリット３３に光ファイバーケーブルＦを挿通させてドロップクロージャー１０内から引き出すことができ、この光ファイバーケーブルＦから分岐可能な本数以上のドロップケーブルｆを同様にドロップクロージャー１０内から引き出すことができる。したがって、閉塞部材１２を用いることにより、閉塞部材の交換などのために光ファイバーケーブルＦの系統全体を停止する必要がなく、既設のドロップケーブルｆのユーザに迷惑を掛けることなく、適宜ドロップケーブルｆの増設作業を行うことができる。
【００４７】
次に、図４および図５は本発明に係るケーブル用ケースの第２実施形態を適用したドロップクロージャーの一例を示す図である。ここで、本実施形態は、上述実施形態と略同様に構成されていることから同様の構成には同一の符号を付して特徴部分を説明する（以下で説明する他の実施形態においても同様）。
【００４８】
図４および図５において、閉塞部材４０は、上述実施形態の閉塞部材１２と同様に、ドロップクロージャー１０のスリーブ１１の両端部１１ａを閉塞するように設置されており、この閉塞部材４０は、例えば、弾性変形性能を有する不連続気泡のスポンジなどにより作製することにより、切断面などを圧接する部材の表面形状に倣わせることができるとともに、表裏に水分が通過することがないように閉塞空間を画成することができる。
【００４９】
この閉塞部材４０には、幹ケーブル用挿通スリット３３と共に、互いに対面する壁面同士が密接して内方から上端面に至る上方挿通スリット４１と、同様に、互いに対面する壁面同士が密接して内方から下端面に至る下方挿通スリット４２と、がそれぞれ複数本並列している。
【００５０】
これにより、この挿通スリット４１、４２は、ドロップケーブルｆの複数本を挿通させることのできる面積で開口可能であり、上述実施形態の閉塞部材１２と同様に、複数本のドロップケーブルｆを隣接する状態で一遍に挿通させてドロップクロージャー１０内から外部に引き出すことができ、さらに、光ファイバーケーブルＦから分岐可能な本数より多くのドロップケーブルｆを増設して、また、既設のドロップケーブルｆなどを停止することなく、既設の閉塞部材１０２などと交換して、ドロップクロージャー１０内から外部に引き出すことができる。
【００５１】
また、この挿通スリット４１、４２は、互いに対面する壁面がドロップケーブルｆの周面に圧接して倣うように変形することにより隙間を埋めるように密接することができ、さらに、上方挿通スリット４１は、最下の切れ端辺４１ａが外部側に向かって降下する壁面に形成されている。
【００５２】
これにより、挿通スリット４１、４２は、対面する壁面間などに雨水などが無制限に侵入することがなく、また、侵入する雨水などは外部に向かって伝わせて滴下させることができ、液密性が確保されている。
【００５３】
このように本実施形態においては、上述実施形態と同様の作用効果を得ることができ、これに加えて、挿通スリット４１、４２の壁面間に充填材などを詰めることなく、ドロップクロージャー１０の液密性を確保することができる。したがって、ドロップケーブルｆの増設作業をより容易に行うことができる。
【００５４】
ここで、上述実施形態の他の態様としては、上下方向に延在する挿通スリット３１〜３３、４１、４２を閉塞部材１２、４０に形成する場合を一例に説明するが、これに限るものではなく、例えば、両側端面に開口して側方に延在する側方挿通スリットが複数本並列するように形成してもよく、この側方挿通スリットの場合でも外部側に向かって降下する形状に形成する方が好ましい。
【００５５】
次に、図６〜図８は本発明に係るケーブル用ケースの第３実施形態を適用したドロップクロージャーの一例を示す図である。
【００５６】
図６および図７において、ドロップクロージャー５０は、上述実施形態と同様に、スリーブ１１の両端部１１ａを閉塞するように閉塞部材５２が設置されており、この閉塞部材５２には、光ファイバーケーブルＦを挿通して充填材３５により液密性を確保しつつドロップクロージャー５０から引き出すことのできる幹ケーブル用挿通スリット３３が形成されているとともに、この幹ケーブル用挿通スリット３３の上部に位置して複数本のドロップケーブルｆを挿通・引出可能に大面積で開口するサブ開口部５５が形成されている。
【００５７】
このサブ開口部５５には、図８に示すように、巾着布の構造に作製されて開口する布部材５６が設置されており、この布部材５６は、開口面積を調整する紐５７を引いて結んでおくことによりドロップケーブルｆの挿通・引出本数に応じた開口空間Ｓに絞ることができる。この布部材５６には、外周に弾性リング５６ａが内装される一方、サブ開口部５５には、内周面の外側２箇所にこの弾性リング５６ａを嵌め込み可能に内方に突出するリブ形状５５ａ、５５ｂが形成されており、弾性リング５６ａをリブ形状５５ａ、５５ｂの間に嵌め込んで位置させることにより、そのサブ開口部５５内に布部材５６を設置することができる。
【００５８】
また、閉塞部材５２は、上端面から下方に向かってサブ開口部５５に至るように形成されて壁面同士の密接する第１連通スリット５８を備えており、そのサブ開口部５５の布部材５６と弾性リング５６ａにも外周から連続して開口空間Ｓ内に連通する第２連通スリット５９が形成されている。
【００５９】
これにより、この閉塞部材５２は、サブ開口部５５から布部材５６を外して紐５７を解くことにより、その外周から連通スリット５８、５９を経て布部材５６内の開口空間Ｓ内にドロップケーブルｆを進入させて挿通させた状態にすることができ、この後に、再度、サブ開口部５５に布部材５６を嵌め込むとともにその開口空間Ｓを紐５７で絞ることによりドロップクロージャー５０内から外部にドロップケーブルｆを引き出す状態にすることができる。すなわち、連通スリット５８、５９がドロップケーブルｆの進入経路を構成している。
【００６０】
このため、ドロップクロージャー５０は、閉塞部材５２を交換することなく、言い換えると、既設のドロップケーブルｆを一旦外すことなく（停止することなく）、必要なドロップケーブルｆを増設するとともに、そのドロップケーブルｆをサブ開口部５５の布部材５６内の開口空間Ｓに挿通して外部に引き出すことができる。
【００６１】
また、このドロップクロージャー５０には、閉塞部材５２の内側にスリーブ１１の両端部１１ａを閉塞する遮蔽部材６２が設置されており、この遮蔽部材６２は、閉塞部材５２と同様に、光ファイバーケーブルＦを挿通して充填材３５により液密性を確保する幹ケーブル用挿通スリット３３と、この幹ケーブル用挿通スリット３３の上部に位置して複数本のドロップケーブルｆを挿通可能に大面積で開口するサブ開口部６５と、上端面から下方に向かってサブ開口部６５に至る壁面同士の密接する第１連通スリット６８と、が形成されているとともに、この閉塞部材５２と遮蔽部材６２の間には、侵入した雨水などを流出させるドレイン口（抜き穴）６６がパッキン２５を切り欠いて形成されている。
【００６２】
ここで、閉塞部材５２は、サブ開口部５５の内周面のリブ形状５５ａ、５５ｂが周方向に分割されており、特に、最下の箇所が離隔されることにより、布部材５６の内側のサブ開口部５５内に侵入した雨水などを外部に流出させることができる。また、その布部材５６は、第２連通スリット５９が重なるように作製された布材料５６ｂの間に形成されており、その間に接合・離隔可能の面ファスナを設けて隙間が開口してしまうことを防止するようにしてもよい。
【００６３】
これにより、閉塞部材５２は、第１連通スリット５８の壁面間が密接するとともに、サブ開口部５５の布部材５６の第２連通スリット５９が重なる状態に閉止されていることから、雨水などが浸入することをある程度防止することができるのに加えて、多少侵入してきた雨水が内部に侵入してしまうことを遮蔽部材６２により確実に防止してドレイン口６６などから滴下させることができる。
【００６４】
このように本実施形態においては、上述実施形態と同様に、連通スリット５８、５９、６８を介して、閉塞部材５２のサブ開口部５５に設置する布部材５６の開口空間Ｓ内や遮蔽部材６２のサブ開口部６５内にドロップケーブルｆの複数本を挿通させた状態にして一遍にドロップクロージャー５０内から引き出すことができ、その布部材５６の開口空間Ｓを紐５７により絞って不必要な開口部分を絞ることができる。したがって、閉塞部材５２と遮蔽部材６２を用いることにより、閉塞部材の交換などのために光ファイバーケーブルＦの系統全体を停止する必要がなく、既設のドロップケーブルｆのユーザに迷惑を掛けることなく、その適宜ドロップケーブルｆの増設作業を行うことができる。
【００６５】
次に、図９〜図１１は本発明に係るケーブル用ケースの第４実施形態を適用したドロップクロージャーの一例を示す図である。
【００６６】
図９および図１０において、閉塞部材７２は、上述実施形態の閉塞部材５２と同様に、ドロップクロージャー５０のスリーブ１１の両端部１１ａを閉塞するように遮蔽部材６２と共に設置されており、この閉塞部材７２には、光ファイバーケーブルＦを挿通して充填材３５により液密性を確保しつつドロップクロージャー５０から引き出すことのできる幹ケーブル用挿通スリット３３が形成されているとともに、この幹ケーブル用挿通スリット３３の上部に位置して複数本のドロップケーブルｆを引出可能に大面積で開口するサブ開口部５５に、円錐台形状に周回することにより開口空間Ｓの面積を絞ることのできる周回部材７６が設置されている。
【００６７】
この周回部材７６は、図１１に示すように、弾性変形可能な帯状材料（線状材料）７６ａを螺旋状に周回させることにより、内方にドロップケーブルｆを挿通可能な開口空間Ｓを画成しており、帯状材料７６ａの外周側領域７６ｂが内周側領域７６ｃの内側に入り込んで面接触するように形成されることにより、螺旋状に周回して内方側が突出する円錐台形状に形成されている。
【００６８】
これにより、周回部材７６は、その外周端部から連続する周回スリット７９内に（帯状材料７６ａ間に）、その帯状材料７６ａを多少の弾性変形をさせつつドロップケーブルｆを差し込んで内方に進入させることにより、その中央付近に画成する開口空間Ｓ内に挿通させた状態にすることができる。
【００６９】
このため、閉塞部材７２は、サブ開口部５５から周回部材７６を外して、その外周端部からドロップケーブルｆを内部の開口空間Ｓ内に進入させて挿通状態にした後に、再度、サブ開口部５５にその周回部材７６を嵌め込むことにより、ドロップクロージャー５０内からドロップケーブルｆを外部に引き出す状態にすることができる。このとき、周回部材７６の画成する開口空間Ｓ内に大量のドロップケーブルｆを挿通させている場合には、その帯状材料７６ａがそのドロップケーブルｆの外周面に接することにより、開口空間Ｓを拡開してドロップケーブルｆを挿通させる状態を維持することができる。
【００７０】
よって、ドロップクロージャー５０は、閉塞部材７２を交換することなく、言い換えると、既設のドロップケーブルｆを一旦外すことなく（停止することなく）、必要なドロップケーブルｆを増設するとともに、そのドロップケーブルｆをサブ開口部５５の周回部材７６内の開口空間Ｓに挿通して外部に引き出すことができる。
【００７１】
ここで、周回部材７６は、帯状材料７６ａが内周側領域７６ｃを外周側領域７６ｂに重ねる状態で周回していることから、雨水などが無制限に浸入することをある程度防止することができるとともに、多少侵入してきた雨水が内部に侵入してしまうことを遮蔽部材６２が確実に防止してドレイン口６６などから滴下させることができる。
【００７２】
このように本実施形態においては、上述実施形態と同様の作用効果を得ることができ、閉塞部材７２と遮蔽部材６２を用いることにより、既設のドロップケーブルｆのユーザに迷惑を掛けることなく、適宜ドロップケーブルｆの増設作業を行うことができる。
【００７３】
ここで、本実施形態では、閉塞部材７２のサブ開口部５５に、帯状材料７６ａを重ねるように周回させた周回部材７６を設置しているが、これに限るものではなく、ドレイン口６６などを有することから、一般的な丸棒状の弾性線材材料を周回させて円錐台形状に形成したものを設置してもよい。ただし、その弾性線材材料間のスリットの距離が長くなるので、本実施形態のように構成するのが有利である。
【産業上の利用可能性】
【００７４】
これまで本発明の一実施形態について説明したが、本発明は上述の実施形態に限定されず、その技術的思想の範囲内において種々異なる形態にて実施されてよいことは言うまでもない。
【図面の簡単な説明】
【００７５】
【図１】本発明に係るケーブル用ケースの第１実施形態を適用したドロップクロージャーの一例を示す図であり、その概略構成を示す透視正面図である。
【図２】その要部の閉塞部材の構成を示す平面図である。
【図３】その要部の閉塞部材の構成を示す断面拡大正面図である。
【図４】本発明に係るケーブル用ケースの第２実施形態を適用したドロップクロージャーの一例を示す図であり、その要部の閉塞部材の構成を示す平面図である。
【図５】その要部の閉塞部材の構成を示す断面拡大正面図である。
【図６】本発明に係るケーブル用ケースの第３実施形態を適用したドロップクロージャーの一例を示す図であり、その要部の閉塞部材の構成を示す平面図である。
【図７】その要部の閉塞部材の構成を示す断面拡大正面図である。
【図８】その閉塞部材に設置する要部部品を示す図であり、（ａ）はその平面図、（ｂ）は閉塞部材に取り付けた状態を示す一部縦断面図である。
【図９】本発明に係るケーブル用ケースの第４実施形態を適用したドロップクロージャーの一例を示す図であり、その要部の閉塞部材の構成を示す平面図である。
【図１０】その要部の閉塞部材の構成を示す断面拡大正面図である。
【図１１】その閉塞部材に設置する要部部品を示す図であり、（ａ）はその平面図、（ｂ）は閉塞部材に取り付けた状態を示す一部縦断面図である。
【図１２】その従来技術を示す斜視図である。
【符号の説明】
【００７６】
１０、５０……ドロップクロージャー    １１……スリーブ    １１ａ……両端部    １２、４０、５２、７２……閉塞部材    １３……ベース金具    １４……把持金具    １５……吊金具    ２１……開閉スリット    ２２……対面部    ２７……融着トレイ    ２８……光カプラトレイ    ３１、４１……上方挿通スリット    ３１ａ……底面    ３２、４２……下方挿通スリット    ３３……幹ケーブル用挿通スリット    ３５……充填材    ４１ａ……切れ端辺    ５５、６５……サブ開口部    ５５ａ、５５ｂ……リブ形状    ５６ａ……弾性リング    ５６……布部材    ５７……紐    ５８、５９、６８……連通スリット    ６２……遮蔽部材    ６６……ドレイン口    ７６……周回部材    ７６ａ……帯状材料    ７６ｂ……外周側領域    ７６ｃ……内周側領域    ７９……周回スリット    Ｆ……光ファイバーケーブル    ｆ……ドロップケーブル    Ｓ……開口空間
【図１】
2008176106.tif 000003
【図２】
2008176106.tif 000004
【図３】
2008176106.tif 000005
【図４】
2008176106.tif 000006
【図５】
2008176106.tif 000007
【図６】
2008176106.tif 000008
【図７】
2008176106.tif 000009
【図８】
2008176106.tif 000010
【図９】
2008176106.tif 000011
【図１０】
2008176106.tif 000012
【図１１】
2008176106.tif 000013
【図１２】
2008176106.tif 000014